(57)【特許請求の範囲】
【請求項１】
屈曲部で屈曲させて略Ｕ字状としたヒータと、前記ヒータによって加熱されるとともに通常スチームを発生させる気化室Ａと前記通常スチームより多いスチームである増量スチームを発生させる気化室Ｂとを有するベースと、前記通常スチーム又は／及び前記増量スチームを噴出させる複数のスチーム穴と、前記気化室Ａおよび前記気化室Ｂに供給する水を蓄える水タンクと、前記ベース上に配され前記水タンクから水を前記気化室Ｂに排出する吐出口と、前記水タンクから水を前記気化室Ａに滴下するノズルと、前記水タンクから水を前記気化室Ｂの前記吐出口に供給するポンプ装置と、前記気化室Ａ内に配され前記ノズルから滴下する水を受ける滴下部と、を備え、前記気化室Ｂは、前記ヒータの前記屈曲部に近接し、前記ヒータの上方で前記ヒータに沿って略Ｕ字状に形成され、前記気化室Ａの前記滴下部を囲むように配設され、前記屈曲部と前記滴下部と前記吐出口とは順に配設され、前記吐出口は前記滴下部より前記ヒータに近づけて配設されているスチームアイロン。
【発明の詳細な説明】
【技術分野】
【０００１】
本発明は、衣類等のしわ伸ばしに用いられるスチームアイロンに関するものである。
【背景技術】
【０００２】
図３は、従来のこの種のスチームアイロンの内部構造を示すベースの平面図で、スチームを発生させる気化室１６が１つだけ設けられているのが一般的であった（例えば、特許文献１参照）。
【特許文献１】特開平６−３１９９００号公報
【発明の開示】
【発明が解決しようとする課題】
【０００３】
アイロン掛けによる衣類のしわ伸ばしのメカニズムを説明すると、スチームアイロンの掛け面のスチーム穴から噴出された蒸気によって、衣類の繊維が熱と水分で膨潤し、繊維の変形部すなわち衣類しわが軟化し、その後直ちに通過する掛け面の熱で平面に成形乾燥されて、衣類のしわが伸ばされる。また、綿繊維の衣類のしわを伸ばすときには、増量のスチームを発生させることが必要である。しかしながら、従来のスチームアイロンでは、図３のように１つの気化室１６で、通常使用時のスチームと増量使用時のスチームを発生させるため、例えば、通常スチームと増量スチームを同時に使用したとき、水の気化させる作用が不十分で、スチーム穴から水漏れ等をおこし、衣類のしわ伸ばしを効率良く仕上げることができないという課題があった。
【０００４】
本発明は、前記従来の課題を解決するもので、しわ伸ばしを効率よく仕上げられるスチームアイロンを提供することを目的とする。
【課題を解決するための手段】
【０００５】
前記従来の課題を解決するために、本発明のスチームアイロンは、屈曲部で屈曲させて略Ｕ字状としたヒータと、前記ヒータによって加熱されるとともに通常スチームを発生させる気化室Ａと前記通常スチームより多いスチームである増量スチームを発生させる気化室Ｂとを有するベースと、前記通常スチーム又は／及び前記増量スチームを噴出させる複数のスチーム穴と、前記気化室Ａおよび前記気化室Ｂに供給する水を蓄える水タンクと、前記ベース上に配され前記水タンクから水を前記気化室Ｂに排出する吐出口と、前記水タンクから水を前記気化室Ａに滴下するノズルと、前記水タンクから水を前記気化室Ｂの前記吐出口に供給するポンプ装置と、前記気化室Ａ内に配され前記ノズルから滴下する水を受ける滴下部と、を備え、前記気化室Ｂは、前記ヒータの前記屈曲部に近接し、前記ヒータの上方で前記ヒータに沿って略Ｕ字状に形成され、前記気化室Ａの前記滴下部を囲むように配設され、前記屈曲部と前記滴下部と前記吐出口とは順に配設され、前記吐出口は前
記滴下部より前記ヒータに近づけて配設されているもので、ベースで発熱量がもっとも多い屈曲部に気化室Ｂが近接しているので、安定した増量スチームを発生することができ、また気化室Ｂが増量スチームによって急激に冷やされても気化室Ｂは、気化室Ａを囲むように配設されているので、通常スチームを発生するのに必要な熱や、衣類を成形乾燥するのに必要な熱を蓄えることができるので、効率よく通常スチームを発生させることができ、しわ伸ばしを効率よく仕上げられるスチームアイロンを提供することができる。
滴下部がベースで発熱量がもっとも多い屈曲部に近づくことになり、安定した通常スチームを提供することができ、効率よくアイロン掛けを行えるスチームアイロンを提供することができる。
熱量の多いヒータ側に吐出口が近づくことになり、安定した増量スチームを提供することができ、効率よくアイロン掛けを行えるスチームアイロンを提供することができる。
【発明の効果】
【０００６】
本発明のスチームアイロンは、安定した増量スチーム、通常スチームを効率よく発生させて、しわ伸ばしを効率よく仕上げることができる。具体的には、ベースで発熱量がもっとも多い屈曲部に気化室Ｂが近接しているので、安定した増量スチームを発生することができる。また、滴下部がベースで発熱量がもっとも多い屈曲部に近づくことになり、安定した通常スチームを提供することができる。
【発明を実施するための最良の形態】
【０００７】
第１の発明は、屈曲部で屈曲させて略Ｕ字状としたヒータと、前記ヒータによって加熱されるとともに通常スチームを発生させる気化室Ａと前記通常スチームより多いスチームである増量スチームを発生させる気化室Ｂとを有するベースと、前記通常スチーム又は／及び前記増量スチームを噴出させる複数のスチーム穴と、前記気化室Ａおよび前記気化室Ｂに供給する水を蓄える水タンクと、前記ベース上に配され前記水タンクから水を前記気化室Ｂに排出する吐出口と、前記水タンクから水を前記気化室Ａに滴下するノズルと、前記水タンクから水を前記気化室Ｂの前記吐出口に供給するポンプ装置と、前記気化室Ａ内に配され前記ノズルから滴下する水を受ける滴下部と、を備え、前記気化室Ｂは、前記ヒータの前記屈曲部に近接し、前記ヒータの上方で前記ヒータに沿って略Ｕ字状に形成され、前記気化室Ａの前記滴下部を囲むように配設され、前記屈曲部と前記滴下部と前記吐出口とは順に配設され、前記吐出口は前記滴下部より前記ヒータに近づけて配設されているもので、ベースで発熱量がもっとも多い屈曲部に気化室Ｂが近接しているので、安定した増量スチームを発生することができ、また気化室Ｂが増量スチームによって急激に冷やされても気化室Ｂは、気化室Ａを囲むように配設されているので、通常スチームを発生するのに必要な熱や、衣類を成形乾燥するのに必要な熱を蓄えることができるので、効率よく通常スチームを発生させることができ、しわ伸ばしを効率よく仕上げられるスチームアイロンを提供することができる。
【０００８】
また、気化室の発熱量が大きくなり、安定した増量スチームを提供することができ、効率よくアイロン掛けを行うことができる。
【０００９】
また、滴下部がベースで発熱量がもっとも多い屈曲部に近づくことになり、安定した通常スチームを提供することができ、効率よくアイロン掛けを行うことができる。
【００１０】
また、熱量の多いヒータ側に吐出口が近づくことになり、安定した増量スチームを提供することができ、効率よくアイロン掛けを行うことができる。
【００１１】
以下、本発明の実施の形態について、図面を参照しながら説明する。なお、本実施の形態によって本発明が限定されるものではない。
【００１２】
（実施の形態１）
図１は、本発明の第１の実施の形態におけるスチームアイロンのベースの平面図、図２は、同スチームアイロンの要部断面図である。
【００１３】
図１、図２において、本実施の形態におけるスチームアイロンのアイロン本体１は、前方に位置する屈曲部２で屈曲させて略Ｕ字状として埋設されたヒータ３により加熱されるベース４と、ベース４の上面に配され通常スチームを発生させる気化室Ａ５と、ベース４の上面のヒータ３の屈曲部２に近接しかつ気化室Ａ５を囲むように配されると共に増量スチームを発生させる気化室Ｂ６と、ベース４の下面に設けられ気化室Ａ５、気化室Ｂ６から発生したスチームを噴出させるスチーム穴７と、ベース３の温度を感知する熱受感部８と、一方が気化室Ｂ６側に接し、他方が気化室Ａ５側に接すると共に熱受感部８を取り付ける熱受感部取付部９と、ヒータ３への通電を制御してベース４の温度を制御する温度制御手段１０と、気化室Ａ５と気化室Ｂ６に水を供給する水タンク１１と、水タンク１１から水を気化室Ａ５に滴下するノズル１２と、気化室Ａ５内に配され前記ノズル１２から滴下される水を受ける滴下部１３と、多量のスチームを発生させるため、水タンク１１から水を供給するポンプ装置１４と、気化室Ｂ６側に設けたポンプ装置１４からの水を気化室Ｂ６へ排出する吐出口１５とを備えている。
【００１４】
なお、気化室Ｂ６の蒸気が排出される出口６ａは、熱受感部８近傍に配設している。
【００１５】
なお、その他の構成は、従来よく知られたスチームアイロンと同様であるので、詳しい説明は省略する。
【００１６】
以上のように構成された本実施の形態におけるスチームアイロンの作用、動作について、以下に説明する。
【００１７】
なお、スチームアイロンとしての基本的な動作は、従来よく知られたものと同様であるので、詳しい説明は省略する。
【００１８】
ベース４が水の気化温度に加熱されているとき、ポンプ装置１４から吐出口１５を通って気化室Ｂ６に水が侵入し、そこで水が気化され、出口６ａを経由してスチームを発生させることができる。このとき、増量スチームによりベース４を急激に冷やそうとするが、ベース４の最も温度が高い部分である屈曲部２に気化室Ｂ６を配設したため、ベース４全体が冷えにくくなり、かつ気化室Ｂ６は、気化室Ａ５を囲むように配設されているので、気化室Ａ５も冷えにくくなり、気化室Ａ５の熱を用いて安定した通常スチームを提供したり、成型乾燥に用いてしわ伸ばしを効率よく行うことができるスチームアイロンを実現させることができる。
【００１９】
また、図１に示すように、気化室Ｂ６をヒータ３の上方で、かつヒータ３に沿わせて設けることにより、気化室Ｂ６が冷えにくくなり、安定した増量スチームを提供することができ、効率よくアイロン掛けを行えるスチームアイロンを実現することができる。
【００２０】
また、図１に示すように、滴下部１３を、吐出口１５より前方に配設することにより、ベース４の最も温度が高い部分である屈曲部２に滴下部１３が近づくので、通常スチームにより滴下部１３が冷やされても水を安定して気化できる温度まで早く回復させることができ、安定した通常スチームを提供し、効率よくアイロン掛けを行えるスチームアイロンを実現させることができる。
【００２１】
また、吐出口１５を、滴下部１３より、熱量の多いヒータ３に近づけて配設することにより、吐出口１５付近のベース４の温度を、増量スチームを安定して気化できる温度まで早く回復させることができ、安定した通常スチームを提供し、効率よくアイロン掛けを行えるスチームアイロンを実現させることができる。
【産業上の利用可能性】
【００２２】
以上のように、本発明にかかるスチームアイロンは、増量スチームを発生させるための気化室Ｂをヒータの屈曲部に近接し、かつ通常スチームを発生させるための気化室Ａを囲むように配設したことにより、しわ伸ばしを効率よく仕上げることができるもので、家庭用、業務用のスチームアイロンに広く適用できる。
【図面の簡単な説明】
【００２３】
【図１】本発明の実施の形態１におけるスチームアイロンのベースの平面図
【図２】同スチームアイロンの要部断面図
【図３】従来のスチームアイロンのベースの平面図
【符号の説明】
【００２４】
１  アイロン本体
２  屈曲部
３  ヒータ
４  ベース
５  気化室Ａ
６  気化室Ｂ
７  スチーム穴
８  熱受感部
１０  温度制御手段
１１  水タンク
１２  ノズル
１４  ポンプ装置
【図１】
0004715532.tif 000002
【図２】
0004715532.tif 000003
【図３】
0004715532.tif 000004